(57)【特許請求の範囲】
【請求項１】
対向配置された一対の主母線と、該主母線間を接続すると共に、該主母線に対して直交するように該主母線間に配置された母線連絡回線と、該母線連絡回線に接続された線路引出回線とを備えたガス絶縁開閉装置において、
前記母線連絡回線は、軸方向に同一直線上に配置した３つの横置きの遮断器ユニットと、該各遮断器ユニットを直列に接続する２つの遮断器接続ユニットから構成されると共に、該母線連絡回線は、前記主母線の方向に沿って三相分並設され、かつ、前記主母線のそれぞれは、前記遮断器ユニットの遮断部タンク周壁端部から直立する母線ユニットに三相分並設され、一方、前記線路引出回線は、前記２つの遮断器接続ユニットからそれぞれ鉛直方向下方に向けて引出されてケーブルヘッドユニットと接続されると共に、前記１つの遮断器接続ユニットからは２つの線路引出回線が引出され、そのうちの一方の前記線路引出回線は、鉛直方向下方に引出された後、他方の前記線路引出回線と接することなく水平に屈曲され、更に鉛直方向下方に引出されてケーブルヘッドユニットと接続されていることを特徴とするガス絶縁開閉装置。
【請求項２】
請求項１に記載のガス絶縁開閉装置において、
前記一方の線路引出回線は、前記母線連絡回線の各相間に配置されていることを特徴とするガス絶縁開閉装置。
【請求項３】
請求項１又は２に記載のガス絶縁開閉装置において、
前記遮断器ユニットの一端部から直立する前記母線ユニットと前記遮断器ユニットの他端部から直立する前記遮断器接続ユニットによって挟まれた空間に、変成器ユニットを配置したことを特徴とするガス絶縁開閉装置。
【発明の詳細な説明】
【技術分野】
【０００１】
本発明はガス絶縁開閉装置に係り、特に、変電所や開閉所などの電気所に設置されるものに好適なガス絶縁開閉装置に関する。
【背景技術】
【０００２】
従来のガス絶縁開閉装置としては、例えば実開平3−39310号公報に記載されたものが知られている。上記公報に記載されたガス絶縁開閉装置は、平行に対向配置された主母線間を接続する母線連絡回線が主母線に対して直交するように主母線間に配置された１＋１／２遮断器方式のものであり、主母線を構成する三相分の母線ユニットが母線連絡回線の端部よりも外側においてほぼ水平に並設されている。従って、電気所におけるガス絶縁開閉装置の据付面積が大きくなる。
【０００３】
上記ガス絶縁開閉装置の据付面積を低減するためには、例えば特開平8−47125号公報に記載されているように、母線連絡回線を構成する遮断器ユニットを横置きのものから縦置きのものにすることが考えられる。しかし、上記の考え方では、ガス絶縁開閉装置の据付高さが高くなるので耐震性が低下する。また、高さに制限がある屋内変電所或いは地下変電所への設置が困難になる場合もある。
【０００４】
【特許文献１】実開平3−39310号公報
【特許文献２】特開平8−47125号公報
【発明の開示】
【発明が解決しようとする課題】
【０００５】
解決しようとする問題点は、ガス絶縁開閉装置の据付高さを低く抑えながら、その据付面積を低減できない点である。
【０００６】
本発明の目的は、据付高さを低く抑えることができることは勿論、据付面積も低減できるガス絶縁開閉装置を提供することにある。
【課題を解決するための手段】
【０００７】
本発明のガス絶縁開閉装置は、上記目的を達成するために、対向配置された一対の主母線と、該主母線間を接続すると共に、該主母線に対して直交するように該主母線間に配置された母線連絡回線と、該母線連絡回線に接続された線路引出回線とを備えたガス絶縁開閉装置において、前記母線連絡回線は、軸方向に同一直線上に配置した３つの横置きの遮断器ユニットと、該各遮断器ユニットを直列に接続する２つの遮断器接続ユニットから構成されると共に、該母線連絡回線は、前記主母線の方向に沿って三相分並設され、かつ、前記主母線のそれぞれは、前記遮断器ユニットの遮断部タンク周壁端部から直立する母線ユニットに三相分並設され、一方、前記線路引出回線は、前記２つの遮断器接続ユニットからそれぞれ鉛直方向下方に向けて引出されてケーブルヘッドユニットと接続されると共に、前記１つの遮断器接続ユニットからは２つの線路引出回線が引出され、そのうちの一方の前記線路引出回線は、鉛直方向下方に引出された後、他方の前記線路引出回線と接することなく水平に屈曲され、更に鉛直方向下方に引出されてケーブルヘッドユニットと接続されていることを特徴とする。
【発明の効果】
【０００８】
本発明によれば、横置きの遮断器ユニットによって母線連絡回線が構成されているので、ガス絶縁開閉装置の据付高さを低く抑えることができることは勿論、母線連絡回線の端部から直立した部分に沿って母線ユニットが並設されているので、ガス絶縁開閉装置の主母線対向方向の寸法を短縮することができ、ガス絶縁開閉装置の据付面積を低減することができる。
【発明を実施するための最良の形態】
【０００９】
ガス絶縁開閉装置の据付高さを低く抑えながら、その据付面積を低減できるという目的を装置の大幅変更を伴わずに実現した。
【実施例１】
【００１０】
本発明の第１実施例を図１〜図５に基づき説明する。図５は本実施例のガス絶縁開閉装置の回路構成を示す。本実施例のガス絶縁開閉装置は１＋１／２遮断器方式のものである。二重母線を構成する主母線１，２は母線連絡回線３ａ〜３ｃによって接続されている。母線連絡回線３ａ〜３ｃのそれぞれは、直列に接続された３つの単位回線４ａ〜４ｃによって構成されている。
【００１１】
単位回線４ａは遮断器５ａと、遮断器５ａの一方側に接続された変流器６ａ，断路器
８ａ，接地開閉器９ａと、遮断器５ａの他方側に接続された変流器７ａ，断路器１０ａ，接地開閉器１１ａによって構成されている。単位回線４ｂは遮断器５ｂと、遮断器５ｂの一方側に接続された変流器６ｂ，断路器８ｂ，接地開閉器９ｂと、遮断器５ｂの他方側に接続された変流器７ｂ，断路器１０ｂ，接地開閉器１１ｂによって構成されている。単位回線４ｃは遮断器５ｃと、遮断器５ｃの一方側に接続された変流器６ｃ，断路器８ｃ，接地開閉器９ｃと、遮断器５ｃの他方側に接続された変流器７ｃ，断路器１０ｃ，接地開閉器１１ｃによって構成されている。
【００１２】
単位回線４ａ，４ｂ間には線路引出回線１２及び変成器１５が接続されている。単位回線４ｂ，４ｃ間には線路引出回線１３及び変成器１６が接続されている。母線連絡回線
３ｂの単位回線４ｂ，４ｃ間には更に線路引出回線１４が接続されている。母線連絡回線３ｂを構成する単位回線４ｂ，４ｃ間に接続された線路引出回線１３，１４は主回線と予備回線を構成している。
【００１３】
線路引出回線１２は断路器１７ａ，接地開閉器１８ａ，変流器１９ａ及びケーブルヘッド２０ａによって構成されている。線路引出回線１３は断路器１７ｂ，接地開閉器１８ｂ，変流器１９ｂ及びケーブルヘッド２０ｂによって構成されている。線路引出回線１４は断路器１７ｃ，接地開閉器１８ｃ，変流器１９ｃ及びケーブルヘッド２０ｃによって構成されている。
【００１４】
主母線１には受電回線２１ａ及び母線区分回線２９ａが接続されている。受電回線21ａは遮断器２２ａと、遮断器２２ａの一方側に接続された変流器２３ａ，断路器２５ａ，接地開閉器２６ａと、遮断器２２ａの他方側に接続された変流器２４ａ，断路器２７ａ，接地開閉器２８ａによって構成されている。母線区分回線２９ａは遮断器３０ａと、遮断器３０ａの一方側に接続された変流器３１ａ，断路器３３ａ，接地開閉器３４ａ，接地開閉器３７ａ，変成器３８ａと、遮断器３０ａの他方側に接続された変流器３２ａ，断路器
３５ａ，接地開閉器３６ａによって構成されている。
【００１５】
主母線２には受電回線２１ｂ及び母線区分回線２９ｂが接続されている。受電回線21ｂは遮断器２２ｂと、遮断器２２ｂの一方側に接続された変流器２３ｂ，断路器２５ｂ，接地開閉器２６ｂと、遮断器２２ｂの他方側に接続された変流器２４ｂ，断路器２７ｂ，接地開閉器２８ｂによって構成されている。母線区分回線２９ｂは遮断器３０ｂと、遮断器３０ｂの一方側に接続された変流器３１ｂ，断路器３３ｂ，接地開閉器３４ｂ，接地開閉器３７ｂ，変成器３８ｂと、遮断器３０ｂの他方側に接続された変流器３２ｂ，断路器
３５ｂ，接地開閉器３６ｂによって構成されている。
【００１６】
上流側の電力系統或いは隣接するガス絶縁開閉装置から供給された電力は受電回線21ａ，２１ｂによって受電され、主母線１，２を介して母線連絡回線３ａ〜３ｃを送電され、線路引出回線１２ａ〜１２ｃを介して下流側の電力系統に供給される。また、主母線１，２を介して母線区分回線２９ａ，２９ｂに送電され、隣接するガス絶縁開閉装置に供給される。
【００１７】
図１〜図４は、図５の回路構成を適用した実際のガス絶縁開閉装置の配置構成を示す。
【００１８】
本実施例のガス絶縁開閉装置は屋内変電所に設置され、ケーブルを介して下流側の電力系統に電力を引出すように構成されている。屋内変電所は地上部分と地下部分に分けられており、その地上部分には、ガス絶縁開閉装置を構成する主要機器が配置され、その地下部分には、下流側の電力系統に電力を引出すケーブル部分が配置されている。
【００１９】
主母線１，２は平行に対向配置されている。主母線１，２間を接続する母線連絡回線
３ａ〜３ｃは、主母線１，２に対して直交するように主母線１，２間に配置されると共に、主母線１，２に沿って水平方向に並設されている。母線連絡回線３ａ〜３ｃは、主母線１，２に沿って水平方向に並設された単相回線５０ａ〜５０ｃによって構成されている。単相回線５０ａ〜５０ｃは遮断器ユニット５１ａ〜５１ｃによって構成されている。
【００２０】
遮断器ユニット５１ａ，５１ｂは遮断器接続ユニット５２ａを介して接続され、遮断器ユニット５１ｂ，５１ｃは遮断器接続ユニット５２ｂを介して接続されている。すなわち遮断器ユニット５１ａ〜５１ｃは、遮断器接続ユニット５２ａ，５２ｂを介して直列接続されている。遮断器ユニット５１ａは遮断器５ａであり、遮断部５３ａ及び操作器５４ａによって構成されている。遮断器ユニット５１ｂは遮断器５ｂであり、遮断部５３ｂ及び操作器５４ｂによって構成されている。遮断器ユニット５１ｃは遮断器５ｃであり、遮断部５３ｃ及び操作器５４ｃによって構成されている。
【００２１】
遮断部５３ａ〜５３ｃは、絶縁媒体であるＳＦ6（六弗化硫黄）ガスが封入された円筒形のタンク内に電気的な接点を収納している。この電気的な接点は、リンク機構を介して対応する操作器５４ａ〜５４ｃに機械的に接続されており、対応する操作器５４ａ〜54ｃによって水平方向に開離操作される。操作器５４ａ〜５４ｃは、対応する遮断部５３ａ〜５３ｃの左端の下側に配置されている。円筒形のタンクは金属製の密閉容器であり、その中心軸が地面に対して水平な横置きの接地容器である。本実施例では、横置きのタンクによって遮断器ユニットの高さを低く抑えている。尚、これ以降において説明されるタンクは、上記のタンクと同様に金属製の密閉容器であり、接地され、その内部にＳＦ6ガスが封入されたものである。
【００２２】
遮断器接続ユニット５２ａ，５２ｂは、隣接する遮断器ユニットから直立し、隣接する遮断器ユニット間を接続している。遮断器接続ユニット５２ａは、直立部分を構成する直立部５５ａと５６ａとを同一の高さにおいて接続する水平部５７ａによって構成されている。遮断器接続ユニット５２ｂは、直立部分を構成する直立部５５ｂと５６ｂとを同一の高さにおいて接続する水平部５７ｂによって構成されている。
【００２３】
直立部５５ａは、断路器１０ａ及び接地開閉器１１ａが収納された十字分岐形のタンクによって構成されており、遮断部５３ａのタンク周壁の主母線１側とは反対側端部に変流器ユニット５９を介して設けられている。変流器ユニット５９は円筒形のタンクに変流器７ａを収納している。直立部５５ａの主母線１側には変成器ユニット６４が接続されている。変成器ユニット６４は円筒形のタンクに変成器１５を収納している。直立部５６ａは、断路器８ｂ及び接地開閉器９ｂが収納されたＴ分岐形のタンク内によって構成されており、遮断部５３ｂのタンク周壁の遮断部５３ａ側端部に変流器ユニット６０を介して設けられている。変流器ユニット６０は円筒形のタンクに変流器６ｂを収納している。水平部
５７ａは、断路器１７ａ及び接地開閉器１８ａが収納された十字分岐形のタンクと、接続母線を収納した円筒形のタンクによって構成されている。
【００２４】
直立部５５ｂは、断路器８ｃ及び接地開閉器９ｃが収納された十字分岐形のタンク内によって構成されており、遮断部５３ｃのタンク周壁の主母線２側とは反対側端部に変流器ユニット６２を介して設けられている。変流器ユニット６２は円筒形のタンクに変流器６ｃを収納している。直立部５５ｂの主母線２側には変成器ユニット６５が接続されている。変成器ユニット６５は円筒形のタンクに変成器１６を収納している。直立部５６ｂは、断路器１０ｂ及び接地開閉器１１ｂが収納されたＴ分岐形のタンク内によって構成されおり、遮断部５３ｂのタンク周壁の遮断部５３ｃ側端部に変流器ユニット６１を介して設けられている。変流器ユニット６１は円筒形のタンクに変流器７ｂを収納している。
【００２５】
水平部５７ａは、母線連絡回線３ａ，３ｃの場合、断路器１７ｂ及び接地開閉器１８ｂが収納された十字分岐形のタンクと、接続母線が収納された円筒形のタンクによって構成されている。母線連絡回線３ｂの場合、断路器１７ｂ及び接地開閉器１８ｂが収納された十字分岐形のタンクと、断路器１７ｃ及び接地開閉器１８ｃが収納された十字分岐形のタンクによって構成されている。
【００２６】
単相回線５０ａの遮断器ユニット５１ａを構成する遮断部５３ａのタンク周壁の主母線１側端部には、変流器ユニット５８を介して母線接続ユニット６６ａが設けられている。変流器ユニット５８は円筒形のタンクに変流器６ａを収納している。単相回線５０ｂの遮断器ユニット５１ａを構成する遮断部５３ａのタンク周壁の主母線１側端部には、変流器ユニット５８を介して母線接続ユニット６６ｂが設けられている。単相回線５０ｃの遮断器ユニット５１ａを構成する遮断部５３ａのタンク周壁の主母線１側端部には、変流器ユニット５８を介して母線接続ユニット６６ｃが設けられている。母線接続ユニット６６ａ〜６６ｃは、タンク周壁端部から直立する円筒形のタンクに断路器８ａ，接地開閉器９ａ及び接続母線を収納している。
【００２７】
単相回線５０ａの遮断器ユニット５１ｃを構成する遮断部５３ｃのタンク周壁の主母線２側端部には、変流器ユニット６３を介して母線接続ユニット６７ａが設けられている。変流器ユニット６３は円筒形のタンクに変流器７ｃを収納している。単相回線５０ｂの遮断器ユニット５１ｃを構成する遮断部５３ｃのタンク周壁の主母線１ｂ側端部には、変流器ユニット６３を介して母線接続ユニット６７ｂが設けられている。単相回線５０ｃの遮断器ユニット５１ｃを構成する遮断部５３ｃのタンク周壁の主母線１ｂ側端部には、変流器ユニット６３を介して母線接続ユニット６７ｃが設けられている。母線接続ユニット
６７ａ〜６７ｃは、タンク周壁端部から直立する円筒形のタンクに断路器１０ｃ，接地開閉器１１ｃ及び接続母線を収納している。
【００２８】
主母線１は母線ユニット６８ａ〜６８ｃによって構成されている。母線ユニット６８ａ〜６８ｃは円筒形のタンクに母線導体を収納しており、母線接続ユニット６６ａ〜６６ｃの主母線１，２の対向側とは反対側に配置されている。母線ユニット６８ａ〜６８ｃは母線接続ユニット６６ａ〜６６ｃに沿って鉛直方向に並設されている。母線ユニット６８ａは母線接続ユニット６６ａと接続され、母線ユニット６８ｂは母線接続ユニット６６ｂと接続され、母線ユニット６８ｃは母線接続ユニット６６ｃと接続されている。
【００２９】
主母線２は母線ユニット６９ａ〜６９ｃによって構成されている。母線ユニット６９ａ〜６９ｃは円筒形のタンクに母線導体を収納しており、母線接続ユニット６７ａ〜６７ｃの主母線１，２の対向側とは反対側に配置されている。母線ユニット６９ａ〜６９ｃは母線接続ユニット６７ａ〜６７ｃに沿って鉛直方向に並設されている。母線ユニット６９ａは母線接続ユニット６７ａと接続され、母線ユニット６９ｂは母線接続ユニット６７ｂと接続され、母線ユニット６９ｃは母線接続ユニット６７ｃと接続されている。
【００３０】
本実施例では、母線接続ユニット６６ａ〜６６ｃの主母線１，２の対向側とは反対側に母線ユニット６８ａ〜６８ｃを配置し、母線接続ユニット６７ａ〜６７ｃの主母線１，２の対向側とは反対側に母線ユニット６９ａ〜６９ｃを配置した場合について説明したが、主母線１，２の対向側に配置されてもよい。
【００３１】
線路引出回線１２は接続母線ユニット７０ａ，変流器ユニット７１ａ及びケーブルヘッドユニット７２ａによって構成されている。接続母線ユニット７０ａは円筒形のタンク内に接続母線を収納しており、遮断器接続ユニット５２ａの水平部５７ａを構成する十字分岐形のタンクと接続され、鉛直に垂れ下がっている。変流器ユニット７１ａは円筒形のタンク内に変流器１９ａを収納している。ケーブルヘッドユニット７２ａは、ケーブル73ａと接続されたケーブルヘッド２０ａを円筒形のタンク内に収納している。
【００３２】
線路引出回線１３は接続母線ユニット７０ｂ，変流器ユニット７１ｂ及びケーブルヘッドユニット７２ｂによって構成されている。接続母線ユニット７０ｂは円筒形のタンク内に接続母線を収納しており、遮断器接続ユニット５２ｂの水平部５７ｂを構成する十字分岐形のタンクと接続され、鉛直に垂れ下がっている。変流器ユニット７１ｂは円筒形のタンク内に変流器１９ｂを収納している。ケーブルヘッドユニット７２ｂは、ケーブル73ｂと接続されたケーブルヘッド２０ｂを円筒形のタンク内に収納している。
【００３３】
線路引出回線１４は接続母線ユニット７０ｃ，変流器ユニット７１ｃ及びケーブルヘッドユニット７２ｃによって構成されている。接続母線ユニット７０ｃは円筒形のタンク内に変流器１９ｃを収納しており、母線連絡回線３ｂの遮断器接続ユニット５２ｂの水平部５７ｂを構成する十字分岐形のタンク（接続母線ユニット７０ｂが接続される十字分岐形のタンクとは別のタンク）と接続されている。変流器ユニット７１ｃは円筒形のタンク内に変流器１９ｃを収納している。ケーブルヘッドユニット７２ｃは、ケーブル７３ｃと接続されたケーブルヘッド２０ｃを円筒形のタンク内に収納している。
【００３４】
接続母線ユニット７０ｃは、母線連絡回線３ｂを構成する遮断器ユニット５１ｂの操作器５４ｂによって鉛直に垂れ下げられない。また、鉛直に垂れ下げられたとしても、線路引出回線１３が立ちふさがりケーブル７３ｃを引出すことができない。そこで、本実施例では、接続母線ユニット７０ｃを主母線２に沿って斜めに接続母線ユニット７０ｂの側方に水平に引出し、この後、接続母線ユニット７０ｂに沿って鉛直に垂れ下げている。
【００３５】
また、線路引出回線１４のケーブルヘッドユニット７２ｃを、線路引出回線１３のケーブルヘッドユニット７２ｂに隣接させて同位置に配置すると、ケーブルヘッドユニット
７２ｂ，７２ｃ間の絶縁距離を確保するために、母線連絡回線３ｂを構成する単相回線
５０ａ〜５０ｃの各相間の距離を大きくする必要がある。しかし、これでは、ガス絶縁開閉装置の据付面積が大きくなる。
【００３６】
そこで、本実施例は、母線連絡回線３ｂを構成する単相回線５０ａ〜５０ｃの各相間の距離を大きくすることなく、ケーブルヘッドユニット７２ｂ，７２ｃ間の絶縁距離が確保できるように、鉛直に垂れ下がる接続母線ユニット７０ｃを、途中から線路引出回線１２側とは反対側に水平に引出し、ケーブルヘッドユニット７２ｃをケーブルヘッドユニット７２ｂよりも高い位置に配置している。また、ケーブルヘッドユニット７２ｂと隣接しないように、ケーブルヘッドユニット７２ｂよりも線路引出回線１２側とは反対側に突出させて配置している。
【００３７】
受電回線２１ａは、主母線１と直交するように主母線１，２間に配置され、主母線１に沿って水平方向に並設された遮断器ユニット７４ａ〜７４ｃによって構成されている。遮断器ユニット７４ａ〜７４ｃは、母線連絡回線３ａの遮断器ユニット５１ａと併設され、遮断器ユニット５１ａと同方向に並設されている。遮断器ユニット７４ａ〜７４ｃは、遮断部７６ａ及び操作器７７ａによって構成されている。遮断部７６ａ及び操作器７７ａは、遮断器ユニット５１ａ〜５１ｃのものと同様に構成されている。
【００３８】
遮断器ユニット７４ａの遮断部７６ａを構成する円筒形のタンク周壁の一方端には、変流器ユニット８０を介して母線接続ユニット７８ａが設けられ、その他方端には変流器ユニット８１を介して母線接続ユニット７９ａが設けられている。変流器ユニット８０は円筒形のタンク内に変流器２３ａを収納し、変流器ユニット８１は円筒形のタンク内に変流器２４ａを収納している。
【００３９】
遮断器ユニット７４ｂの遮断部７６ａを構成する円筒形のタンク周壁の一方端には、変流器ユニット８０を介して母線接続ユニット７８ｂが設けられ、その他方端には変流器ユニット８１を介して母線接続ユニット７９ｂが設けられている。遮断器ユニット７４ｃの遮断部７６ａを構成する円筒形のタンク周壁の一方端には、変流器ユニット８０を介して母線接続ユニット７８ｃが設けられ、その他方端には変流器ユニット８１を介して母線接続ユニット７９ｃが設けられている。
【００４０】
母線接続ユニット７８ａ〜７８ｃは、円筒形のタンク内に断路器２５ａ，接地開閉器
２６ａ，接続母線を収納しており、タンク周壁の一方端に直立している。母線接続ユニット７８ａ〜７８ｃの母線接続ユニット７９ａ〜７９ｃ側と反対側には、主母線１を構成する母線ユニット６８ａ〜６８ｃが配置されている。母線ユニット６８ａ〜６８ｃは母線接続ユニット７８ａ〜７８ｃに沿って鉛直方向に並設されている。母線接続ユニット７８ａは母線ユニット６８ａと接続され、母線接続ユニット７８ｂは母線ユニット６８ｂと接続され、母線接続ユニット７８ｃは母線ユニット６８ｃと接続されている。
【００４１】
母線接続ユニット７９ａ〜７９ｃは、円筒形のタンク内に断路器２７ａ，接地開閉器
２８ａ，接続母線を収納しており、タンク周壁の他方端に直立している。母線接続ユニット７９ａ〜７９ｃの母線接続ユニット７８ａ〜７８ｃ側と反対側には、主母線１を構成する母線ユニット６８ａ〜６８ｃが配置されている。母線ユニット６８ａ〜６８ｃは母線接続ユニット７９ａ〜７９ｃに沿って鉛直方向に並設されている。母線接続ユニット７９ａは母線ユニット６８ａと接続され、母線接続ユニット７９ｂは母線ユニット６８ｂと接続され、母線接続ユニット７９ｃは母線ユニット６８ｃと接続されている。
【００４２】
受電回線２１ｂは、主母線２と直交するように主母線１，２間に配置され、主母線２に沿って水平方向に並設された遮断器ユニット７５ａ〜７５ｃによって構成されている。遮断器ユニット７５ａ〜７５ｃは、母線連絡回線３ａの遮断器ユニット５１ｃと併設され、遮断器ユニット５１ｃと同方向に並設されている。遮断器ユニット７５ａ〜７５ｃは、遮断部７６ｂ及び操作器７７ｂによって構成されている。遮断部７６ｂ及び操作器７７ｂは、遮断器ユニット５１ａ〜５１ｃのものと同様に構成されている。
【００４３】
遮断器ユニット７５ａの遮断部７６ｂを構成する円筒形のタンク周壁の一方端には、変流器ユニット８４を介して母線接続ユニット８２ａが設けられ、その他方端には、変流器ユニット８５を介して母線接続ユニット８３ａが設けられている。変流器ユニット８４は円筒形のタンク内に変流器２３ｂを収納し、変流器ユニット８５は円筒形のタンク内に変流器２４ｂを収納している。
【００４４】
遮断器ユニット７５ｂの遮断部７６ｂを構成する円筒形のタンク周壁の一方端には、変流器ユニット８４を介して母線接続ユニット８２ｂが設けられ、その他方端には、変流器ユニット８５を介して母線接続ユニット８３ｂが設けられている。遮断器ユニット７５ｃの遮断部７６ｂを構成する円筒形のタンク周壁の一方端には変流器ユニット８４を介して母線接続ユニット８２ｃが設けられ、その他方端には変流器ユニット８５を介して母線接続ユニット８３ｃが設けられている。
【００４５】
母線接続ユニット８２ａ〜８２ｃは、円筒形のタンク内に断路器２５ｂ，接地開閉器
２６ｂ，接続母線を収納しており、タンク周壁の一方端に直立している。母線接続ユニット８２ａ〜８２ｃの母線接続ユニット８３ａ〜８３ｃ側と反対側には、主母線２を構成する母線ユニット６９ａ〜６９ｃが配置されている。母線ユニット６９ａ〜６９ｃは、母線接続ユニット８２ａ〜８２ｃに沿って鉛直方向に並設されている。母線接続ユニット82ａは母線ユニット６９ａと接続され、母線接続ユニット８２ｂは母線ユニット６９ｂと接続され、母線接続ユニット８２ｃは母線ユニット６９ｃと接続されている。
【００４６】
母線接続ユニット８３ａ〜８３ｃは、円筒形のタンク内に断路器２７ｂ，接地開閉器
２８ｂ，接続母線を収納しており、タンク周壁の他方端に直立している。母線接続ユニット８３ａ〜８３ｃの母線接続ユニット８２ａ〜８２ｃ側と反対側には、主母線２を構成する母線ユニット６９ａ〜６９ｃが配置されている。母線ユニット６９ａ〜６９ｃは、母線接続ユニット８３ａ〜８３ｃに沿って鉛直方向に並設されている。母線接続ユニット83ａは母線ユニット６９ａと接続され、母線接続ユニット８３ｂは母線ユニット６９ｂと接続され、母線接続ユニット８３ｃは母線ユニット６９ｃと接続されている。
【００４７】
母線区分回線２９ａ，２９ｂは、隣接されるガス絶縁開閉装置の主母線と接続されるものであり、受電回線２１ａ，２１ｂとほぼ同様に構成されている。従って、母線区分回線２９ａ，２９ｂを構成するユニットには、受電回線２１ａ，２１ｂを構成するユニットと同符号を付し、その説明を一部省略する。
【００４８】
母線区分回線２９ａの母線接続ユニット７８ａ〜７８ｃを構成する円筒形のタンク内には、断路器３５ａ，接地開閉器３６ａ，接続母線が収納されている。母線区分回線２９ａの変流器ユニット８０を構成する円筒形のタンク内には、変流器３２ａを収納している。母線区分回線２９ａの母線接続ユニット７９ａ〜７９ｃを構成する十字分岐形のタンク内には、断路器３３ａ，接地開閉器３４ａ，接地開閉器３７ａ，接続母線が収納されている。母線区分回線２９ａの母線接続ユニット７９ａ〜７９ｃを構成する十字分岐形のタンクの母線接続ユニット７８ａ〜７８ｃ側とは反対側には、円筒形のタンク内に変成器３８ａを収納した変成器ユニット８６が接続されている。母線区分回線２９ａの変流器ユニット８１は円筒形のタンク内に変流器３２ａを収納している。
【００４９】
母線区分回線２９ｂの母線接続ユニット８２ａ〜８２ｃを構成する円筒形のタンク内には、断路器３５ｂ，接地開閉器３６ｂ，接続母線が収納されている。母線区分回線２９ｂの変流器ユニット８４を構成する円筒形のタンク内には、変流器３２ｂを収納している。母線区分回線２９ｂの母線接続ユニット８３ａ〜８３ｃを構成する十字分岐形のタンク内には、断路器３３ｂ，接地開閉器３４ｂ，接地開閉器３７ｂ，接続母線が収納されている。母線区分回線２９ｂの母線接続ユニット８３ａ〜８３ｃを構成する十字分岐形のタンクの母線接続ユニット８２ａ〜８２ｃ側とは反対側には、円筒形のタンク内に変成器３８ｂを収納した変成器ユニット８７が接続されている。母線区分回線２９ｂの変流器ユニット８５は、円筒形のタンク内に変流器３１ｂを収納している。
【００５０】
以上説明した本実施例によれば、横置きの遮断器ユニット５１ａ〜５１ｃによって母線連絡回線３ａ〜３ｃが構成されているので、ガス絶縁開閉装置の据付高さを低減することができる。また、主母線１を構成する母線ユニット６８ａ〜６８ｃが、母線接続ユニット６６ａ〜６６ｃに沿って鉛直方向に並設され、主母線２を構成する母線ユニット６９ａ〜６９ｃが母線接続ユニット６７ａ〜６７ｃに沿って鉛直方向に並設されているので、ガス絶縁開閉装置の主母線１，２対向方向の寸法を短縮することができる。従って、ガス絶縁開閉装置の据付高さを低く抑えながらその据付面積を低減することができる。
【００５１】
また、本実施例によれば、直立部５５ａ，５６ａを備えた遮断器接続ユニット５２ａによって遮断器ユニット５１ａ，５１ｂ間が接続され、直立部５５ｂ，５６ｂを備えた遮断器接続ユニット５２ｂによって遮断器ユニット５１ｂ，５１ｃ間が接続されているので、遮断器接続ユニット５２ａ，５２ｂを構成する水平部５７ａ，５７ｂの寸法を短縮することができ、遮断器ユニット５１ａ，５１ｂ及び遮断器ユニット５１ｂ，５１ｃの間隔を小さくできる。従って、ガス絶縁開閉装置の主母線１，２対向方向の寸法を短縮することができ、ガス絶縁開閉装置の据付面積を更に低減することができる。
【００５２】
また、本実施例によれば、遮断器接続ユニット５２ｂの水平部５７ｂの１ヶ所から同時に線路引出回線１３，１４が引出されている。本実施例では、線路引出回線１４の接続母線ユニット７０ｃが主母線２に沿って斜めに線路引出回線１３の接続母線ユニット７０ｂの側方に水平に引出されているので、遮断器接続ユニット５２ｂを構成する水平部５７ｂの寸法を他の回線のものより大きくすることなく、遮断器接続ユニット５２ｂの水平部
５７ｂの１ヶ所から線路引出回線１３，１４を同時に引出すことができる。従って、遮断器接続ユニットの水平部から同時に二つの線路引出回線が引出されても、ガス絶縁開閉装置の主母線１，２対向方向の寸法が大きくなり、ガス絶縁開閉装置の据付面積が増大するようなことはない。
【実施例２】
【００５３】
本発明の第２実施例を図６〜図８に基づいて説明する。図６〜図８は本実施例のガス絶縁開閉装置の配置構成を示す。本実施例のガス絶縁開閉装置は第１実施例の改良例であり、主母線１，２，母線連絡回線３ａ〜３ｃ，受電回線２１ａ，２１ｂ，母線区分回線29ａ，２９ｂは前例と同様に構成されているので、同符号を付しその部分の説明は省略する。本実施例のガス絶縁開閉装置は屋外変電所に設置され、ブッシングを介して下流側の電力系統に電力を引出すように構成されている。このため、線路引出回線１２〜１４の構成が前例と異なる。
【００５４】
線路引出回線１２は、接続母線ユニット７０ａ，変流器ユニット７１ａ及びブッシング８８ａによって構成されている。接続母線ユニット７０ａは、変流器ユニット７１ａを介して遮断器接続ユニット５２ａの水平部５７ａを構成する十字分岐形のタンクと接続されている。接続母線ユニット７０ａは鉛直に立ち上がり、主母線１側に直角に折れ曲がって水平に延伸し、主母線１側の鉄塔８９に設置されたブッシング８８ａと接続される。
【００５５】
線路引出回線１３は、接続母線ユニット７０ｂ，変流器ユニット７１ｂ及びブッシング８８ｂによって構成されている。接続母線ユニット７０ｂは、変流器ユニット７１ｂを介して遮断器接続ユニット５２ｂの水平部５７ｂを構成する十字分岐形のタンクと接続されている。接続母線ユニット７０ｂは鉛直に立ち上がり、主母線２側に直角に折れ曲がって水平に延伸し、主母線２側の鉄塔８９に設置されたブッシング８８ｂと接続される。
【００５６】
線路引出回線１４は、接続母線ユニット７０ｃ，変流器ユニット７１ｃ及びブッシング８８ｃによって構成されている。接続母線ユニット７０ｃは、変流器ユニット７１ｃを介して母線連絡回線３ｂの遮断器接続ユニット５２ｂの水平部５７ｂを構成する十字分岐形のタンク（接続母線ユニット７０ｂが変流器ユニット７１ｂを介して接続される十字分岐形のタンクとは別のタンク）と接続されている。接続母線ユニット７０ｃは、主母線２に沿って斜めに接続母線ユニット７０ｂの側方に水平に引出され、この後、接続母線ユニット７０ｂに沿って鉛直に立ち上がる。この時、接続母線ユニット７０ｃは接続母線ユニット７０ｂよりも高い位置に立ち上がっている。この後、接続母線ユニット７０ｃは主母線２側に直角に折れ曲がって水平に延伸し、主母線２側の鉄塔８９に設置されたブッシング８８ｃと接続される。
【００５７】
以上説明した本実施例によれば、主母線２に沿って斜めに接続母線ユニット７０ｂの側方に水平に接続母線ユニット７０ｃが引出され、この後、接続母線ユニット７０ｂに沿って鉛直に立ち上がっているので、遮断器接続ユニット５２ｂの水平部５７ｂの１ヶ所から線路引出回線１３，１４が同時に引き出されても、線路引出回線１３，１４を同方向に引出すことができる。
【００５８】
また、本実施例によれば、接続母線ユニット７０ｃが接続母線ユニット７０ｂよりも高い位置に立ち上がり、主母線２側に直角に折れ曲がって水平に伸延している。接続母線ユニット７０ｂ，７０ｃを水平に隣接させると、接続母線ユニット７０ｂ，７０ｃ間の絶縁距離を確保するために、母線連絡回線３ｂを構成する単相回線５０ａ〜５０ｃの各相間の距離を広げる必要がある。これでは、ガス絶縁開閉装置の据付面積が大きくなる。しかし、接続母線ユニット７０ｃが接続母線ユニット７０ｂよりも高い位置に立ち上がっている本実施例では、母線連絡回線３ｂを構成する単相回線５０ａ〜５０ｃの各相間の距離を広げなくとも、接続母線ユニット７０ｂ，７０ｃ間の絶縁距離を確保できる。
【００５９】
また、前例と同様に構成された部分については、前例と同様の効果を奏することができる。
【産業上の利用可能性】
【００６０】
本発明は、据付高さを低く抑えながら据付面積を低減しなければならないガス絶縁開閉装置に対して利用可能であり、特に据付高さ及び据付面積の制限を受ける屋内変電所や地下変電所のような電気所に設置されるガス絶縁開閉装置に対して有用である。
【図面の簡単な説明】
【００６１】
【図１】本発明の第１実施例であるガス絶縁開閉装置の配置構成を示す平面図である。
【図２】図１のII−II矢視平面図である。
【図３】図１のIII−III矢視平面図である。
【図４】図１のIV−IV矢視平面図である。
【図５】図１のガス絶縁開閉装置の回路構成を示す単結線図である。
【図６】本発明の第２実施例であるガス絶縁開閉装置の配置構成を示す平面図である。
【図７】図６のVII−VII矢視平面図である。
【図８】図６のVIII−VIII矢視平面図である。
【符号の説明】
【００６２】
１，２  主母線
３ａ，３ｂ，３ｃ  母線連絡回線
４ａ，４ｂ，４ｃ  単位回線
５ａ，５ｂ，５ｃ，１７ａ，２２ａ，２２ｂ，３０ａ，３０ｂ  遮断器
６ａ，６ｂ，６ｃ，７ａ，７ｂ，７ｃ，１９ａ，１９ｂ，１９ｃ，２３ａ,２３ｂ,２４ａ，２４ｂ，３１ａ，３１ｂ，３２ａ，３２ｂ  変流器
８ａ，８ｂ，８ｃ，１０ａ，１０ｂ，１０ｃ，１７ａ，１７ｂ，１７ｃ，２５ａ，２５ｂ，２７ａ，２７ｂ，３３ａ，３３ｂ，３５ａ，３５ｂ  断路器
９ａ，９ｂ，９ｃ，１１ａ，１１ｂ，１１ｃ，１８ａ，１８ｂ，１８ｃ，２６ａ，２６ｂ，２８ａ，２８ｂ，３４ａ，３４ｂ，３６ａ，３６ｂ，３７ａ，３７ｂ  接地開閉器
１２，１２ａ，１２ｂ，１２ｃ，１３，１４  線路引出回線
１５，１６，３８ａ，３８ｂ  変成器
２０ａ，２０ｂ，２０ｃ  ケーブルヘッド
２１ａ，２１ｂ  受電回線
２９ａ，２９ｂ  母線区分回線
５０ａ，５０ｂ，５０ｃ  単相回線
５１ａ，５１ｂ，５１ｃ，７４ａ，７４ｂ，７４ｃ，７５ａ，７５ｂ，７５ｃ  遮断器ユニット
５２ａ，５２ｂ  遮断器接続ユニット
５３ａ，５３ｂ，５３ｃ，７６ａ，７６ｂ  遮断部
５４ａ，５４ｂ，５４ｃ，７７ａ，７７ｂ  操作器
５５ａ，５５ｂ，５６ａ，５６ｂ  直立部
５７ａ，５７ｂ  水平部
５８，５９，６０，６１，６２，６３，７１ａ，７１ｂ，７１ｃ，８０，８１，８４，
８５  変流器ユニット
６４，６５，８６，８７  変成器ユニット
６６ａ，６６ｂ，６６ｃ，６７ａ，６７ｂ，６７ｃ，７８ａ，７８ｂ，７８ｃ，７９ａ，７９ｂ，７９ｃ，８２ａ，８２ｂ，８２ｃ，８３ａ，８３ｂ，８３ｃ  母線接続ユニット
６８ａ，６８ｂ，６８ｃ，６９ａ，６９ｂ，６９ｃ  母線ユニット
７０ａ，７０ｂ，７０ｃ  接続母線ユニット
７２ａ，７２ｂ，７２ｃ  ケーブルヘッドユニット
７３ａ，７３ｂ，７３ｃ  ケーブル
８８ａ，８８ｂ，８８ｃ  ブッシング
８９  鉄塔
【図１】
0004099992.tif 000002
【図２】
0004099992.tif 000003
【図３】
0004099992.tif 000004
【図４】
0004099992.tif 000005
【図５】
0004099992.tif 000006
【図６】
0004099992.tif 000007
【図７】
0004099992.tif 000008
【図８】
0004099992.tif 000009